(57)【要約】  本発明では液体食品材料用の包装を開示する。この包装は、液体食品材料を保管するためのコラプシブル（ｃｏｌｌａｐｓｉｂｌｅ）容器と、容器のネックとを備える。容器のネックは、コラプシブル容器の上部の内部側壁に取り付け、容器から分離されるように設計する。ポンプディスペンサはポンプ容器を備える。このポンプ容器は、容器のネックを通じてコラプシブル容器に挿入する。この包装はさらに、ポンプディスペンサポンプディスペンサに取り付ける可動式キャップカバーを備える。このキャップカバーは、外部に延びるノズルを備える。このノズルは、食用物質を放出するように設計する。キャップカバーは、押し下げおよび押し上げが行われ、それによって液体を吐出するように設計する。この包装はさらに、容器のネックから上方に延びる支持エッジを備える。ノズルは、この支持エッジの間を移動する。この包装はさらに、身体装着可能なカバーを備える。この身体装着可能なカバーは、この身体装着可能なカバーに挿入されたコラプシブル容器を収容する。この身体装着可能なカバーはさらにソケットを備える。このソケットにより、ポンプディスペンサおよびノズルが上下動できる。【選択図】図１
2020506116.tif 000002
【特許請求の範囲】
【請求項１】
液体食品材料用の包装であって、
前記液体食品材料を保管するためのコラプシブル（ｃｏｌｌａｐｓｉｂｌｅ）容器と、
前記コラプシブル容器の上部の内部側壁に取り付けられ、前記容器から分離されるように設計される容器のネックと、
前記容器のネックを通じて前記コラプシブル容器に挿入されるポンプ容器を備えるポンプディスペンサと、
を備え、
前記ポンプ容器が、前記コラプシブル容器の中に存在する前記液体食品材料に届き、前記包装がさらに、
前記ポンプディスペンサに取り付けられ、外部に延びるノズルを備えるキャップカバーを備え、前記ノズルが、前記食用物質を前記コラプシブル容器から放出するように設計され、前記キャップカバーが、上下に押され、それによって前記コラプシブル容器の中に存在する前記液体食品材料を吐出するように設計され、前記包装がさらに、
前記容器のネックから上方に延びる支持エッジを備え、前記キャップカバーが押し下げられたときに前記ノズルが前記支持エッジの間を動かされ、前記包装がさらに、
身体装着可能なカバーを備え、前記身体装着可能なカバーが、前記身体装着可能なカバーに挿入される前記コラプシブル容器を収容するように設計され、前記身体装着可能なカバーがさらにソケットを備え、前記ソケットが、前記ポンプディスペンサおよび前記ノズルがポンプ動作の一環として上下動し、それによって前記液体食品材料を放出することを可能にする、
包装。
【請求項２】
請求項１に記載の液体食品材料用の包装であって、前記容器のネックがさらに、前記コラプシブル容器の上部に適合して精密に挿入され、それによって前記コラプシブル容器を固定および密閉する突起ストリップを備え、前記コラプシブル容器がさらに、前記コラプシブル容器の前記内部側壁から突起する専用のくぼみを備え、前記くぼみが前記容器のネックの前記突起ストリップに適合し、前記突起ストリップおよび前記専用のくぼみが前記コラプシブル容器を固定および密閉する、包装。
【請求項３】
請求項１に記載の液体食品材料用の包装であって、前記容器のネックに取り付けられたジャバラ部材に前記キャップカバーが接続され、前記ジャバラ部材がバネ機構として機能し、前記バネ機構が、前記キャップカバーを押し上げ、それによって前記ポンプディスペンサの前記ポンプ容器に前記液体食品材料を押し込むことができる、包装。
【請求項４】
請求項１に記載の液体食品材料用の包装であって、前記液体食品材料をエアロゾルスプレーの形で放出するように前記ポンプが構成される包装。
【請求項５】
請求項１に記載の液体食品材料用の包装であって、前記コラプシブル容器がフィルムから構成される包装。
【請求項６】
請求項１に記載の液体食品材料用の包装であって、前記コラプシブル容器が不透湿素材から製造される包装。
【請求項７】
請求項６に記載の液体食品材料用の包装であって、前記コラプシブル容器が、ＰＬＡを含むフィルムから構成される包装。
【請求項８】
請求項６に記載の液体食品材料用の包装であって、前記コラプシブル容器が、生分解性素材を含むフィルムから構成される包装。
【請求項９】
請求項６に記載の液体食品材料用の包装であって、前記コラプシブル容器が、ポリマーを含むフィルムから構成される包装。
【請求項１０】
請求項６に記載の液体食品材料用の包装であって、前記コラプシブル容器が、紙を含むフィルムから構成される包装。
【請求項１１】
請求項６に記載の液体食品材料用の包装であって、前記コラプシブル容器が、金属成分を含むフィルムから構成される包装。
【請求項１２】
請求項８に記載の液体食品材料用の包装であって、前記コラプシブル容器が、アクリル酸で形成したフィルムから構成される包装。
【請求項１３】
請求項１に記載の液体食品材料用の包装であって、シアノアクリレートを含む接着剤によって前記容器のネックが前記コラプシブル容器に接着される包装。
【請求項１４】
請求項１に記載の液体食品材料用の包装であって、ホットメルト接着剤によって前記容器のネックが前記コラプシブル容器に接着される包装。
【請求項１５】
請求項１に記載の液体食品材料用の包装であって、常温接着剤によって前記容器のネックが前記コラプシブル容器に接着される包装。
【請求項１６】
請求項１に記載の液体食品材料用の包装であって、レーザー溶接によって前記容器のネックが前記コラプシブル容器に溶接される包装。
【請求項１７】
請求項１に記載の液体食品材料用の包装であって、熱融着によって前記容器のネックが前記コラプシブル容器に溶接される包装。
【請求項１８】
請求項１に記載の液体食品材料用の包装であって、ヒートシールによって前記容器のネックが前記コラプシブル容器に溶接される包装。
【請求項１９】
請求項１に記載の液体食品材料用の包装であって、超音波溶着によって前記容器のネックが前記コラプシブル容器に溶接される包装。
【発明の詳細な説明】
【技術分野】
【０００１】
本発明は、全般的には食用物質の包装の分野に関し、より具体的には、ポンプディスペンサによって液体食品材料を容易かつ手軽に消費できる包装の分野に関する。
【背景技術】
【０００２】
ポンプディスペンサは、さまざまな理由から非常に広く普及している。ポンプディスペンサは、洗剤、香水、医薬品など、多くの分野で利用できる。多くの場合は、これらの製品において、主容器またはボトルの中を高圧の環境にする必要がある。この高圧は、大気圧より高くする必要がある。内圧と大気圧との圧力差により、ガスまたは液体の噴流が形成され、大気中に放出される。場合によっては、内圧と大気圧との圧力差を、スプレー放出する必要がある物質を吐出するエアレスポンプによって実現できる。このような場合は、エアレスポンプがバネと、エアレスポンプ内に配置する追加の密閉容器とを使用し、比較的少量の物質を密閉容器に入れられるようにすることができる。エアレスポンプは、バネを使用して追加の密閉容器内に高圧環境を形成し、それによってスプレー放出する必要がある物質を大気中に放出することができる。
【０００３】
エアレスポンプを使用する場合の主な課題の１つに、主容器の中に存在する物質にエアレスポンプが届く必要があることが挙げられる。さらに、主容器の中に存在する物質をポンプに向けて押し出し、エアレスポンプをその物質の中に浸す組み込みの機構は存在しない。この課題を克服するための解決策の１つに、長い管をエアレスポンプに取り付ける方法がある。この管は、主容器の底に届き、それによって、主容器の中に少量の物質しか存在しない場合でもその物質に浸るように設計できる。
【発明の概要】
【０００４】
本発明では、ポンプディスペンサに取り付け、液体食品材料を保管および吐出するために設計した手持ち型コラプシブル（ｃｏｌｌａｐｓｉｂｌｅ）包装容器（ＨＰＣ）を開示する。ポンプディスペンサは、コラプシブル容器の内部側壁に取り付けた容器のネックを通じてＨＰＣに接続できる。容器のネックによって、ＨＰＣのコラプシブル容器が密閉される。これにより、ポンプでＨＰＣから液体を吸い出すときに、ポンプディスペンサがコラプシブル容器の中に真空を形成できる。ポンプディスペンサによって形成された真空を利用して、液体食品材料をポンプに向けて押し出し、ＨＰＣを空にできるようにすることが可能である。場合によっては、液体食品材料をエアロゾルの形で放出するようにＨＰＣのポンプディスペンサを設計できる。また別の場合には、液体食品材料を液体の形で放出するように設計したポンプによってポンプディスペンサを置き換えることができる。本発明の実施形態によっては、液体食品材料がポンプからＨＰＣに逆流することを防ぐように設計した一方向弁をポンプディスペンサに備えることができる。場合によっては、このようなポンプを、内圧がなくても液体食品材料を吐出するように設計したエアレスポンプにすることができる。場合によっては、コラプシブル容器を保護して持ち運びが容易になるように設計した身体装着可能なカバーにＨＰＣを挿入できる。身体装着可能なカバーを使用すると、人間が野外活動中にＨＰＣを持ち運ぶこともできる。
【０００５】
本発明で開示する液体食品材料用の包装は、その液体食品材料を保管するためのコラプシブル容器と、そのコラプシブル容器の内部側壁に取り付けた容器のネックとを備える。その容器のネックはそのコラプシブル容器を密閉する。ポンプディスペンサは、上記の容器のネックに接続され、かつ上記のコラプシブル容器の中に保管されている上記の液体食品材料に届くように構成する。このポンプディスペンサは、上記のコラプシブル容器の中に真空を形成することによって上記の液体食品材料を吐出するように構成する。
【０００６】
場合によっては、上記の包装がさらに、容器のネックに取り付ける身体装着可能なカバーを備え、液体食品材料用のその包装がその身体装着可能なカバーに挿入される。場合によっては、上記の包装がさらに、ポンプディスペンサに接続する一方向弁を備え、その一方向弁によって、液体食品材料がポンプディスペンサから上記のコラプシブル容器に流入するのを防ぐ。場合によっては、液体食品材料をエアロゾルスプレーの形で放出するようにポンプを構成する。場合によっては、液体食品材料を液体の形で放出するようにポンプを構成する。
【０００７】
場合によっては、シアノアクリレートを含む接着剤によって容器のネックをコラプシブル容器に接着する。場合によっては、ホットメルト接着剤によって容器のネックをコラプシブル容器に接着する。場合によっては、常温接着剤によって容器のネックをコラプシブル容器に接着する。場合によっては、レーザー溶接によって容器のネックをコラプシブル容器に溶接する。場合によっては、熱融着によって容器のネックをコラプシブル容器に溶接する。場合によっては、ヒートシールによって容器のネックをコラプシブル容器に溶接する。場合によっては、超音波溶着によって容器のネックをコラプシブル容器に溶接する。
【０００８】
場合によっては、コラプシブル容器を手のひらの規模とし、人間の手で持つように設計する。場合によっては、容器のネックが、容器の内部からネックの上部まで延びる中空部分を備える。場合によっては、ポンプディスペンサがその中空部分の中をスライドする。場合によっては、さらにポンプディスペンサが細いロッドを備える。このロッドは、コラプシブル容器に挿入し、液体食品材料に届くように設計する。場合によっては、ポンプディスペンサがさらに、押し上げおよび押し下げが行われるように設計したキャップカバーを備える。場合によっては、キャップカバーをジャバラ部材の上に取り付け、キャップカバーが押し下げられたときに包装から液体食品材料が放出されるようにする。場合によっては、ポンプディスペンサがさらに、コラプシブル容器に挿入するように構成されたポンプ管を備える。場合によっては、上記の液体食品材料を液体食品材料とする。
【０００９】
場合によっては、容器のネックがさらに、容器のネック５０５の本体から上方に延び、ポンプの横移動を制限するように設計した支持エッジを備える。場合によっては、容器のネックが突起ストリップを備える。この突起ストリップは、容器のネックの本体から延び、コラプシブル容器の内部側壁に固定するように設計する。場合によっては、コラプシブル容器をフィルムで構成する。場合によっては、ＰＬＡを含むフィルムでコラプシブル容器を構成する。場合によっては、生分解性素材を含むフィルムでコラプシブル容器を構成する。場合によっては、ポリマーを含むフィルムでコラプシブル容器を構成する。場合によっては、紙を含むフィルムでコラプシブル容器を構成する。場合によっては、金属成分を含むフィルムでコラプシブル容器を構成する。場合によっては、アクリル酸で形成したフィルムでコラプシブル容器を構成する。場合によっては、液体食品材料をクリーム、ローション、皮膚軟化剤、軟膏、またはペーストとする。
【００１０】
本明細書では、本発明のいくつかの実施形態について、あくまで例示を目的として添付図面を参照しながら説明している。ここでは図面について具体的かつ詳細に言及するが、ここに示す詳細は例示を意図しており、本発明の実施形態について実例を挙げて説明することを目的としていることを強調しておく。この点に関連して、図面に付随する説明により、本発明の実施形態を実施するための方法が当業者に明らかになる。
【図面の簡単な説明】
【００１１】
【図１】本発明の例示的実施形態による、ポンプディスペンサを備えたＨＰＣを示す図である。
【図２】本発明の例示的実施形態に沿って、手を握ってＨＰＣを持ち、ポンプを操作して、ＨＰＣのコラプシブル容器の中に保管されている液体食品材料を取り出す様子を示す図である。
【図３】本発明の例示的実施形態による、ＨＰＣに接続するように設計したエアレスポンプディスペンサを示す図である。
【図４Ａ】本発明の例示的実施形態による、身体装着可能なカバーに挿入するＨＰＣを分解した状態を示す図である。
【図５】本発明の例示的実施形態による、コラプシブル容器の内部側壁に取り付けるように設計したコラプシブル容器のネックを示す図である。
【図６Ａ】本発明の例示的実施形態によるコラプシブル容器のネックおよびコラプシブル容器を示す図である。
【図６Ｂ】本発明の例示的実施形態による、コラプシブル容器に挿入したコラプシブル容器のネックを示す図である。
【図７Ａ】本発明の例示的実施形態による、液体食品材料を含むＨＰＣの断面の側面図である。
【図７Ｂ】本発明の例示的実施形態による、液体食品材料を含む被潰縮（ｃｏｌｌａｐｓｅｄ）ＨＰＣの断面の側面図である。
【図８Ａ】本発明の例示的実施形態による、液体食品材料を含むＨＰＣの正面図である。
【図８Ｂ】本発明の例示的実施形態による、液体食品材料で部分的に満たしたＨＰＣの正面図である。
【発明を実施するための形態】
【００１２】
本発明では、液体食品材料を保管および吐出するための手持ち型コラプシブル包装容器（ＨＰＣ）を開示する。液体食品材料は食用であっても食用でなくても構わない。ＨＰＣに保管する液体食品材料は、炭水化物、タンパク質、油、ビタミン、塩、水、セルロース、薬剤、飲料、またはそれらの任意の混合液体などの成分から構成できる。ＨＰＣに保管する非液体食品材料は、液体塗料、日焼け止めクリーム、催涙剤、香水、脱臭剤、液体の形態を取る化粧品、ローション、クリーム、皮膚軟化剤、軟膏、ジェル、ペースト、ヴェントリンなどの成分から構成できる。簡単にするために、以下の説明では主に液体食品材料に言及する。
【００１３】
本発明の例示的実施形態による、ポンプディスペンサを備えたＨＰＣを図１に示す。ＨＰＣ１０５はコラプシブル容器１１５を備える。コラプシブル容器１１５は、コラプシブル容器のネック１１０およびポンプディスペンサ１４０によって密閉する。ポンプディスペンサ１４０は、コラプシブル容器１１５から液体食品材料を吸い込み、それによってコラプシブル容器１１５内に存在する圧力を低下させるように設計できる。コラプシブル容器１１５は、大気圧によってコラプシブル容器１１５に加わる相対的に高い圧力の結果としてつぶれるように設計する。コラプシブル容器１１５の側壁がつぶれると、その力によって、コラプシブル容器１１５の中に存在する液体食品材料が上方に流れ、ポンプディスペンサ１４０に向かう。コラプシブル容器１１５は、ＨＰＣ１０５の使用者の手によって押しつぶされ、それによってポンプディスペンサ１４０に向かう液体食品材料の流れを促進するように構成することもできる。
【００１４】
本発明の実施形態によっては、ポンプディスペンサ１４０が上下に動き、それによってコラプシブル容器１１５から液体食品材料を吸い込むように設計することもできる。この場合、ポンプディスペンサ１４０が、ポンプディスペンサ１４０が押し下げられた結果としてコラプシブル容器１１５の中に存在する液体食品材料を吸い上げた後、ポンプディスペンサ１４０に加わる圧力が低下した結果としてオリフィス１３０を通じてその液体食品材料を放出することができる。オリフィス１３０はポンプディスペンサ１４０の一部である。例えば、ＨＰＣ１０５を使用するアスリートがランニングコースで液状の炭水化物を含む。アスリートは、オリフィス１３０を口の近くに運び、指でポンプディスペンサ１４０を押し下げた後、ポンプディスペンサ１４０に対する圧力を緩めることで、オリフィス１３０を通じてアスリートの口に液状炭水化物を流し込むことができる。
【００１５】
本発明の実施形態によっては、ポンプディスペンサ１４０によってコラプシブル容器１１５が密閉され、それによって、外部から圧力がかかった空気がコラプシブル容器１１５の中に侵入するのを防ぐことができる。この場合は、コラプシブル容器１１５から液体食品材料を取り出しつつ、減圧されかつ閉じた環境を実現できる。このような閉じた環境により、ＨＰＣ１０５の使用者がＨＰＣ１０５から液体を取り出すたびに、液体食品材料がポンプディスペンサ１４０に向かって押される。場合によっては、コラプシブル容器１１５を人間が圧搾し、それによって、コラプシブル容器１１５の中に保持されている液体食品材料をさらに取り出すこともできる。
【００１６】
本発明の例示的実施形態に沿って、手を握ってＨＰＣを持ち、ポンプを操作して、ＨＰＣのコラプシブル容器の中に保管されている液体食品材料を取り出す様子を図２に示す。図２には、握り拳の形でＨＰＣ２０５を保持する手２１５を示している。手２１５は、指２３１、２３２および２３３の握力を使ってＨＰＣ２０５のコラプシブル容器２４０を保持する。指２３１、２３２および２３３は、コラプシブル容器２４０を手２１５の手のひらに押し付ける。このようにして、指２３１、２３２および２３３によって加わる圧力により、液体食品材料をポンプディスペンサ２２０に向けて押し上げることができる。ＨＰＣ２０５の使用者は、コラプシブル容器２４０の中に存在する可能性がある液体食品材料を取り出すために、親指２２５を使ってポンプディスペンサ２２０を押し下げることができる。場合によっては、液体食品材料が過度に空気、光または湿気にさらされるのを防いで液体食品材料の寿命を伸ばすために、ポンプディスペンサ２２０によってコラプシブル容器２４０を密閉できる。
【００１７】
本発明の例示的実施形態による、ＨＰＣに接続するように設計したエアレスポンプディスペンサを図３に示す。エアレスポンプディスペンサ３０５は、ＨＰＣに接続され、ＨＰＣの中に存在する可能性がある液体食品材料を吐出するように設計する。ポンプディスペンサ３０５はキャップカバー３１０を備える。キャップカバー３１０は、ポンプディスペンサ３０５の使用者によって押し下げおよび押し上げが行われることで、ノズル３１５の中央に位置するオリフィス３１２を通じて液体食品材料を吸い出すように設計する。「下げる」という言葉は、コラプシブル容器に向けてキャップカバーを押すことを指す。キャップカバー３１０は、バネ機構として機能するジャバラ部材３２５の上に取り付けることもできる。例えば、人間がキャップカバー３１０を押し下げた後にその圧力を解放する場合に、ジャバラ部材３２５が広がってキャップカバー３１０を押し上げ、それによってオリフィス３１２を通じて液体食品材料を放出できるようにすることが可能である。ジャバラ部材３２５は、図３２０に示す容器３４０に接続するように設計することもできる（図３２０にはポンプディスペンサ３０５の機構を示している）。この場合、ピストン３３０を完全にジャバラ部材３２５に挿入でき、リング部３３３を通じてジャバラ部材３２５を容器３４０に接続できる。ピストン３３０は、ジャバラ部材３２５に挿入し、一端をキャップカバー３１０に接続し、他端を容器３４０に挿入するように設計できる。これにより、ピストン３３０の上下動によって、ＨＰＣの中に保管されている液体食品材料の一部を吸い出すことができる。場合によっては、ジャバラ部材３２５をキャップカバー３１０の内部側壁に付着させることができる。また別の場合には、ピストン３３０をキャップカバー３１０の下部に付着させることができる。キャップカバー３１０をポンプディスペンサ３０５の他の部分に付着させる工程においては、ホットメルト接着剤、常温接着剤、溶接などを利用できる。
【００１８】
ポンプディスペンサ３０５は細いロッド３３５も備える。ロッド３３５は、ＨＰＣのコラプシブル容器に挿入して、そのＨＰＣに保管されている液体食品材料に届くように設計する。場合によっては、ＨＰＣのコラプシブル容器をリング部３３３に接着して、リング部３３３によってコラプシブル容器を密閉できる。本発明の実施形態によっては、ＨＰＣのコラプシブル容器を堅いネックに接続できる。このネックは、コラプシブル容器に挿入し、ＨＰＣのコラプシブル容器を密閉するために利用する。この場合、堅いネックをコラプシブル容器に接着または溶接し、さらにポンプディスペンサ３０５にも接着または溶接することができる。
【００１９】
本発明の例示的実施形態による、携帯用カバーに挿入するＨＰＣを分解した状態を図４Ａに示す。ＨＰＣ４０５はポンプ４０７を備える。ポンプ４０７は、コラプシブル容器４２５の中に存在する液体食品材料を吐出するように設計する。ポンプ４０７はディスペンサー頭部４１０を備える。ディスペンサー頭部４１０はピストン４１２に取り付けるように設計する。ピストン４１２はポンプ容器４１５に接続できる。コラプシブル容器４２５は液状栄養物を含むことができる。この液状栄養物は、ピストン４１２によって吸い出した後、ノズル４１７を通じて放出できる。例えば、ポンプ４０７を通じて液体食品材料を取り出すために、人間がポンプディスペンサ頭部４１０をコラプシブル容器４２５に向けて押し下げた後、ポンプディスペンサ頭部４１０に加えた圧力を解放することができる。ポンプディスペンサ頭部４１０を解放すると、ポンプディスペンサ頭部４１０が上方に移動し、それによって液体食品材料を（例えばエアロゾルスプレーとして）大気中に放出できる。
【００２０】
ポンプ容器４１５は、コラプシブル容器のネック４２０に挿入することもできる。コラプシブル容器のネック４２０は、コラプシブル容器４２５に挿入するように設計した堅いシャーシにすることができる。場合によっては、コラプシブル容器のネック４２０を、コラプシブル容器４２５の内部側壁に接着剤で接着できる。場合によっては、接着剤をホットメルト接着剤（例えばポリエチレンを含む接着剤）にすることができる。また別の場合には、常温接着剤（例えばシアノアクリレートを含む接着剤）によってコラプシブル容器のネック４２０をＨＰＣ容器に接着できる。本発明の実施形態によっては、コラプシブル容器のネック４２０をコラプシブル容器４２５の内部側壁に溶接できる。このような溶接には、レーザー溶接、熱融着、ヒートシール、超音波溶着、レーザー溶接などが該当する。場合によっては、コラプシブル容器４２５をコラプシブル容器のネック４２０から分離できる。例えば、野外活動中にＨＰＣ４０５を使用している人がコラプシブル容器４２５の中の液体食品材料を利用し、その利用が終わったら、コラプシブル容器のネック４２０をコラプシブル容器４２５から分離することができる。場合によっては、液体食品材料を利用した後にコラプシブル容器４２５をごみ箱に廃棄することができる。また別の場合には、コラプシブル容器４２５をリサイクル用の回収箱に入れることができる。この場合は、コラプシブル容器４２５に液体食品材料を詰め直し、コラプシブル容器４２５をポンプ４０７に取り付けることができる。
【００２１】
本発明の実施形態によっては、コラプシブル容器４２５を携帯用カバー４３０に挿入できる。この携帯用カバー４３０は、コラプシブル容器４２５を保護するように設計する。身体装着可能なカバー４３０により、ＨＰＣの使用者が野外活動中にＨＰＣを持ち運べるようにすることも可能である。このような野外活動には、ランニング、ウォーキング、サイクリング、潜水、スカイダイビング、水上スキー、ラフティング、セーリングなどの、液体食品材料を利用する必要があるスポーツ活動が該当する。場合によっては、携帯用カバー４３０に凹型ソケット４３３を備えることができる。凹型ソケット４３３により、液体食品材料の吸い出しおよび放出の一環としてノズル４１７を上下に動かすことができる。例えば、使用者がエアレスポンプ４１０を押し下げてエアレスポンプ４１０が上に動けるようにすることにより、液体食品材料のエアロゾルを放出できる。このような場合は、ノズル４１７が凹型ソケット４３３に沿って移動できる。
【００２２】
本発明の例示的実施形態に沿って、ＨＰＣを組み立てて身体装着可能なカバーに挿入した状態を図４Ｂに示す。図４Ｂには、身体装着可能なカバー４３０に挿入したコラプシブル容器４２５を備えたＨＰＣ４０５の組立図を示している。身体装着可能なカバー４３０は、凹型ソケット４３３を備えるように設計できる。凹型ソケット４３３により、コラプシブル容器４２５の中に存在する液体食品材料の吸い出しおよび放出の一環としてノズル４１７を上下に動かすことができる。
【００２３】
本発明の例示的実施形態による、コラプシブル容器の内部側壁に取り付けるように設計した容器のネックを図５に示す。容器のネック５０５は、コラプシブル容器に挿入し、そのコラプシブル容器の内部側壁に取り付けるように設計する。容器のネック５０５は突起ストリップ５１０を備える。突起ストリップ５１０は、容器のネックの本体から延び、コラプシブル容器の内部側壁に固定するように設計する。場合によっては、コラプシブル容器の内部側壁から突起した専用のくぼみに突起ストリップ５１０をはめ込むことができる。容器のくぼみは、突起ストリップ５１０で固定されるように成形できる。
【００２４】
容器のネック５０５は、中空の円筒部５２５も備える。この円筒部５２５を通じてポンプディスペンサをコラプシブル容器に挿入する。場合によっては、コラプシブル容器の中に存在する液体食品材料に届くようにポンプ容器４１５を円筒部５２５に差し込むことができる。場合によっては、円筒部５２５の内側にねじ山を切ることができる。これに伴い、対応するねじ山をポンプ容器に切り、ポンプを容器のネック５０５にねじ込めるようにすることができる。容器のネック５０５は、容器のネック５０５の本体から上方に延びる支持エッジ５１５および５２０も備える。支持エッジ５１５および５２０は、ポンプ頭部の横移動を制限し、ポンプ頭部の向きを維持することで、ＨＰＣの使用者が容易に液体食品材料を口に吐出できるように設計する。場合によっては、ＨＰＣの使用者が支持部５１５および５２０を使用して指でＨＰＣをつかむこともできる。例えば、人間が親指と中指を使って、つまむような動作で支持部５１５および５２０の箇所でＨＰＣをつかむことができる。指でＨＰＣをつかんでいる人が人差し指を使ってポンプ頭部を押し下げられるようにすることも可能である。
【００２５】
本発明の例示的実施形態による容器のネックおよびコラプシブル容器を図６Ａに示す。容器のネック６０５は突起ストリップ６２５を備える。突起ストリップ６２５は、コラプシブル容器６１０に挿入するように設計する。容器のネック６０５は支持エッジ６３１および６３２も備える。支持エッジ６３１および６３２は、ポンプの横移動を制限し、ＨＰＣをつかむために都合のよい場所となるように設計する。図６Ａには、コラプシブル容器６１０の幅を示す矢印６５３、突起ストリップ６２５の幅を示す矢印６５２、および支持エッジ６３１および６３２の幅を示す矢印６１５も記載している。場合によっては、突起ストリップ６２５の幅（矢印６５３で示す）を、コラプシブル容器６１０に精密に挿入されるように合わせることができる。支持エッジ６３１および６３２は、コラプシブル容器６１０の幅より広くすることができ、それによって、支持エッジ６３１および６３２が、コラプシブル容器６１０に取り付けるときに容器のネック６０５を制限する障壁として機能することができる。
【００２６】
本発明の例示的実施形態による、コラプシブル容器に挿入した容器のネックを図６Ｂに示す。容器のネック６０５はコラプシブル容器６１０に挿入される。場合によっては、ホットメルト接着剤や常温接着剤などの接着剤によってコラプシブル容器のネック６０５をコラプシブル容器６１０に固定できる。場合によっては、コラプシブル容器のネック６０５をコラプシブル容器の内部側壁に溶接できる。
【００２７】
本発明の実施形態によっては、コラプシブル容器６１０を容器のネック６０５から分離できるように構成できる。このような構成を実現するには、人間がコラプシブル容器６１０を容器のネック６０５から分離できるように接着または溶接の工程を設計する。例えば、コラプシブル容器６１０の中に存在する液体食品材料を人間が利用した後、コラプシブル容器６１０を容器のネック６０５から引きはがすことができる。
【００２８】
本発明の例示的実施形態による、液体食品材料を含むＨＰＣの断面の側面図を図７Ａに示す。図７Ａに示すＨＰＣ７０５は、ディスペンサー７１５および突起ストリップ７１０を備える。突起ストリップ７１０はコラプシブル容器７２５に挿入されている。さらに、ＨＰＣ７０５はポンプ７２０を備える。ポンプ７２０はコラプシブル容器７２５の中に存在する。
【００２９】
ポンプ７２０は、コラプシブル容器７２５が空になる過程で真空を形成し、それによって、ポンプ７２０がコラプシブル容器７２５から液体を吸い出すたびに、吸い出し後にコラプシブル容器７２５がつぶれるように構成できる。ポンプ７２０によって形成される真空を利用して、液体食品材料をポンプ７２０に向けて押し出し、それによってコラプシブル容器７２５を空にできるようにすることが可能である。図７Ｂには、コラプシブル容器７２５の容器７２５の中に存在する液体食品材料７３０（灰色に着色）も示している。コラプシブル容器７２５は、コラプシブル容器７２５の最大サイズまで膨張している。
【００３０】
本発明の例示的実施形態による、液体食品材料を含む被潰縮ＨＰＣの断面の側面図を図７Ｂに示す。図７Ｂに示すＨＰＣ７０５は、ディスペンサー７１５および突起ストリップ７１０を備える。突起ストリップ７１０はコラプシブル容器７２５に挿入されている。コラプシブル容器７２５に挿入された突起ストリップ７１０によって、コラプシブル容器７２５が密閉され、雰囲気からの空気の侵入を防ぐことができる。
【００３１】
ＨＰＣ７０５は、さらにポンプ管７２０を備える。ポンプ管７２０はコラプシブル容器７２５の中に存在する。ポンプ管７２０は、コラプシブル容器７２５が空になる過程で真空を形成し、それによって、コラプシブル容器７２５がつぶれるように構成できる。ポンプ管７２０によって形成される真空を利用して、液体食品材料をポンプ７２０に向けて押し出し、それによって、空になっているコラプシブル容器７２５を実現できるようにすることが可能である。図７Ｂには、コラプシブル容器７２５の中に存在する液体食品材料７３０（灰色に着色）も示している。コラプシブル容器７２５は、ポンプ管７２０の下の部分でつぶして圧搾すること、およびディスペンサー７１５により近いコラプシブル容器７２５の一部で膨張させることができる。このようなコラプシブル容器７２５の圧搾およびつぶしは、コラプシブル容器７２５の内圧とＨＰＣ７０５の外部に存在する大気圧との差によって実現できる。
【００３２】
場合によっては、本発明の使用者が、コラプシブル容器７２５を、ディスペンサー７１５により近い上部で圧搾できるようにすることが可能である。このような圧搾により、液体食品材料７３０に圧力が加わり、それによってポンプ７２０の下に延びるコラプシブル容器７２５の一部に液体食品材料７３０が押し下げられる。場合によっては、このような圧搾により、コラプシブル容器７２５の一部であってポンプの吸引が届かない場所に残る液体食品材料７３０を人間が消費できるようにすることが可能である。例えば、ディスペンサー７１５に近いコラプシブル容器７２５の上部に液体食品材料７３０の一部が存在する場合に、人間が指と手のひらを使って液体食品材料７３０を下方に圧搾することで、ポンプの吸引が届くコラプシブル容器７２５の他の部分に液体食品材料７３０を押しやることができる。その上で、人間がディスペンサー７１５を使用して、押しやった液体食品材料７３０を取り出すことができる。
【００３３】
本発明の例示的実施形態による、液体食品材料を含むＨＰＣの正面図を図８Ａに示す。ＨＰＣ８０５は容器のネック８１５を備える（正面図で示している）。ＨＰＣ８０５はコラプシブル容器８１０も備える。コラプシブル容器８１０は液体食品材料を保持する（図には示していない）。場合によっては、コラプシブル容器８１０を最大サイズまで膨張させることができる圧力水準で液体食品材料をコラプシブル容器８１０に押し込むことができる。このような圧力水準によると、コラプシブル容器８１０を、ぴんと張った堅い形状に成形できる。また別の場合には、コラプシブル容器８１０を最大サイズ未満まで膨張させることができる圧力水準で液体食品材料をコラプシブル容器８１０に押し込むことができる。このような圧力水準によると、コラプシブル容器８１０を、柔らかくぐにゃぐにゃの形状に成形できる。
【００３４】
本発明の例示的実施形態による、液体食品材料で部分的に満たしたＨＰＣの正面図を図８Ｂに示す。ＨＰＣ８０５は容器のネック８１５を備える（正面図で示している）。ＨＰＣ８０５はコラプシブル容器８１０を備える。コラプシブル容器８１０は、空にするか、液体食品材料で部分的に満たすことができる（図には示していない）。このようなつぶれた構造は、ＨＰＣ８０５の使用が原因で形成される場合がある。例えば、人間がＨＰＣ８０５を使用して、コラプシブル容器８１０の中に存在する液体食品材料の一部を消費する場合がこれに該当する。コラプシブル容器８０５は、密閉して、コラプシブル容器８１０の外部にある空気を遮断することができる。このようにすると、大気圧によってコラプシブル容器８１０が押しつぶされ、それによって、外部からコラプシブル容器８１０に加わる圧力と、コラプシブル容器８１０の内部から加わるコラプシブル容器８１０内の圧力とを平衡させることができる。
【００３５】
液体食品材料を吸い込んだ後にオリフィス８２５を通じてその液体食品材料を放出するように設計したポンプディスペンサ８２０によってＨＰＣ８０５が液体食品材料を放出するように構成することもできる。場合によっては、オリフィス８２５を通じて液体食品材料の一部を放出した後、コラプシブル容器８１０の内部から加わるコラプシブル容器８１０内の圧力が低下することがある。このような場合は平衡点が変化すると考えられ、コラプシブル容器８１０に外部から加わる外圧が、コラプシブル容器８１０の内部から加わるコラプシブル容器８１０内の圧力より高くなると考えられる。したがって、新しい平衡点に達するまでコラプシブル容器８１０がつぶれ続けると考えられる。
【００３６】
本発明の実施形態によっては、不浸透性の材料によるラミネートフィルムによってコラプシブル容器を形成できる。このような不浸透性の材料により、別の物質（気体、香味、香り、水蒸気、油、光など）がコラプシブル容器に侵入することを防止できる。例えば、本発明の可能な側面によれば、ＨＰＣを構成できるラミネートフィルムとして、２軸延伸ポリエチレンテレフタレート製のフィルム、ポリエチレン製のフィルム、エチレンビニルアルコール製のフィルム、アルミニウム製のフィルム、金属薄膜でコーティングしたポリエチレンテレフタレート製のフィルム、プラスチック製のフィルム、またはこれらの任意の組み合わせなどが挙げられる。場合によっては、ラミネートフィルムでは酸素の侵入を防げない。場合によっては、ハイソリッドおよび高性能溶剤ベース積層用接着剤によって一部のラミネートフィルムを相互に接着できる。
【００３７】
コラプシブル容器は、ポリエチレン、ポリエチレンテレフタレート、エチレンビニルアルコール、ポリ乳酸（ＰＬＡ）、ポリヒドロキシアルカン酸などのポリエステルから構成できる。場合によっては、紙、透明ポリエステルフィルム、フォトポリマーを含むフィルム、生分解性素材（生分解性ポリマーなど）を含むフィルムなどからコラプシブル容器を構成できる。例えば、本発明の実施形態によっては、容器がアクリレート重合体フィルムを備え、場合によってはメチルアクリレートフィルムを備え、別の場合にはポリクロロトリフルオロエチレンフィルムを備え、さらに別の場合には塩化ビニリデンメチルアクリレート共重合体フィルムを備え、また別の場合にはアクリロニトリルメチルアクリレート共重合体フィルムを備えることができる。また別の場合には、コラプシブル容器が金属成分（アルミニウムなど）を含むこともできる。本発明の実施形態によっては、使い捨てでの使用に対応して、コラプシブル容器の耐久性を低くすることができる。例えば、野外活動中にＨＰＣを使用する人間が、コラプシブル容器の中の液体食品材料を利用し、その利用が終わったら、ＨＰＣをごみ箱（場合によってはリサイクル回収箱）に廃棄することができる。
【００３８】
ここまで、本明細書では例示的実施形態に関して説明してきたが、本発明の範囲から外れることなく、多くの変更が可能であり、本発明の要素を均等物によって置換できることは、当業者に理解されるであろう。さらに、本発明の本質的な範囲から外れることなく、特定の状況または材料を教授に適合させるための多くの変更形態が可能である。したがって、本発明は、本発明を実施するために意図された最良の方法として開示される特定の実施形態に限定されるものではなく、添付の請求項によってのみ限定されることを意図している。
【図１】
2020506116.tif 000003
【図２】
2020506116.tif 000004
【図３】
2020506116.tif 000005
【図４Ａ】
2020506116.tif 000006
【図４Ｂ】
2020506116.tif 000007
【図５】
2020506116.tif 000008
【図６Ａ】
2020506116.tif 000009
【図６Ｂ】
2020506116.tif 000010
【図７Ａ】
2020506116.tif 000011
【図７Ｂ】
2020506116.tif 000012
【図８Ａ】
2020506116.tif 000013
【図８Ｂ】
2020506116.tif 000014
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
液体食品材料用包装であって、
前記液体食品材料を格納するための内部側壁を備えるコラプシブル容器と、
前記コラプシブル容器の上部の前記内部側壁と接合される容器ネックと、
ポンプ容器を備えるエアレスポンプディスペンサであって、前記ポンプ容器が前記容器ネックを介して前記コラプシブル容器に挿入されるように構成され、前記ポンプ容器が前記コラプシブル容器中に残る前記液体食品材料に達する、エアレスポンプディスペンサと、
前記エアレスポンプディスペンサ上に配置され、かつ外側に延在するノズルを備えるキャップカバーであって、前記ノズルは前記液体食品材料を前記コラプシブル容器から吐出するように構成され、前記キャップカバーは上下に押され、それによって前記コラプシブル容器内に残る前記液体食品材料を放出するように構成される、キャップカバーと、
前記容器ネックの上部の２つの側部エッジから上方に延在する２つの剛性支持エッジであって、前記キャップカバーが下方に押された場合に、前記２つの剛性支持エッジの間の前記ノズルを維持するように構成され、かつ前記２つの剛性支持エッジは、ユーザが前記コラプシブル容器を強く絞らずに前記容器ネックを把持することができるように構成される、２つの剛性支持エッジ、
を備える液体食品材料用包装。
【請求項２】
前記液体食品材料用包装が、身体装着可能なカバーをさらに備え、前記コラプシブル容器を前記身体装着可能なカバーに挿入するように構成される、
請求項１に記載の前記液体食品材料用包装。
【請求項３】
前記容器ネックは突起ストリップをさらに備え、前記突起ストリップにより、前記コラプシブル容器の上部が前記容器ネックに正確に挿入され、それによって前記コラプシブル容器を固定しかつ密閉することを特徴とし、かつ前記コラプシブル容器は、前記コラプシブル容器の前記内部側壁から突起した専用くぼみをさらに備え、前記専用くぼみが、前記容器ネックの前記突起ストリップと適合することにより、前記突起ストリップおよび前記専用くぼみが前記コラプシブル容器を固定しかつ密閉することを特徴とする、
請求項１に記載の液体食品材料用包装。
【請求項４】
前記キャップカバーが、前記容器ネック上に配置されるジャバラ部材と接続され、かつ前記ジャバラ部材が、前記キャップカバーを上方に押すバネ機構として機能し、かつそれによって、前記液体食品材料が前記ポンプディスペンサの前記ポンプ容器に押し出され得る、
請求項１に記載の液体食品材料用包装。
【請求項５】
前記ポンプが、エアロゾルスプレーの形態で前記液体食品材料を吐出するように構成される、請求項１に記載の液体食品材料用包装。
【請求項６】
前記コラプシブル容器が、フィルム化合物から構成される、請求項１に記載の液体食品材料用包装。
【請求項７】
前記コラプシブル容器が、不透湿素材により作製される、請求項１に記載の液体食品材料用包装。
【請求項８】
前記コラプシブル容器が、ＰＬＡを含むフィルム化合物から構成される、請求項７に記載の液体食品材料用包装。
【請求項９】
前記コラプシブル容器が、生分解性材料を含有するフィルム化合物から構成される、請求項７に記載の食品材料用包装。
【請求項１０】
前記コラプシブル容器が、ポリマを含有するフィルム化合物から構成される、請求項７に記載の食品材料用包装。
【請求項１１】
前記コラプシブル容器が、紙を含むフィルム化合物から構成される、請求項７に記載の食品材料用包装。
【請求項１２】
前記コラプシブル容器が、金属材料を含むフィルム化合物から構成される、請求項７に記載の食品材料用包装。
【請求項１３】
前記コラプシブル容器が、アクリル酸により形成されるフィルム化合物から構成される、請求項９に記載の食品材料用包装。
【請求項１４】
シアノアクリレート系接着剤で前記容器ネックと前記コラプシブル容器が接着している、請求項１に記載の液体食品材料用包装。
【請求項１５】
ホットメルト系接着剤で前記容器ネックと前記コラプシブル容器が接着している、請求項１に記載の液体食品材料用包装。
【請求項１６】
コールド接着剤で前記容器ネックと前記コラプシブル容器が接着している、請求項１に記載の液体食品材料用包装。
【請求項１７】
レーザ溶融で前記容器ネックと前記コラプシブル容器が融着している、請求項１に記載の液体食品材料用包装。
【請求項１８】
熱溶融で前記容器ネックと前記コラプシブル容器が融着している、請求項１に記載の液体食品材料用包装。
【請求項１９】
ヒートシールで前記容器ネックと前記コラプシブル容器が融着している、請求項１に記載の液体食品材料用包装。
【請求項２０】
超音波溶融で前記容器ネックと前記コラプシブル容器が融着している、請求項１に記載の液体食品材料用包装。
【請求項２１】
前記容器ネックが、前記コラプシブル容器から取り外せるように構成されている、請求項１に記載の液体食品材料用包装。
【請求項２２】
前記身体装着可能なカバーが、ソケットをさらに備え、前記ソケットにより前記エアレスポンプディスペンサおよび前記ノズルが、ポンプ機構の一部として上下に移動し、それによって前記液体食品材料が放出されるように構成される、
請求項２に記載の液体食品材料用包装。
【国際調査報告】
2020506116.tif 000015